【手続補正書】
【提出日】平成21年9月9日(2009.9.9)
【手続補正１】
【補正対象書類名】特許請求の範囲
【補正対象項目名】請求項６
【補正方法】変更
【補正の内容】
【請求項６】
前記閉断面構造体は、アルミニウム製またはアルミニウム合金製からなり、前記閉断面内に設けたアルミニウム製またはアルミニウム合金製の前記ベース部材を当該閉断面構造体の外側からリベットで固定し、さらに、片側溶接することを特徴とする請求項５に記載の締結具固定方法。
【手続補正２】
【補正対象書類名】明細書
【補正対象項目名】００２０
【補正方法】変更
【補正の内容】
【００２０】
請求項６に記載の締結具固定方法は、請求項５に記載の締結具固定方法であって、前記閉断面構造体は、アルミニウム製またはアルミニウム合金製からなり、前記閉断面内に設けたアルミニウム製またはアルミニウム合金製の前記ベース部材を当該閉断面構造体の外側からリベットで固定し、さらに、片側溶接することを特徴とする。
【手続補正３】
【補正対象書類名】明細書
【補正対象項目名】００２１
【補正方法】変更
【補正の内容】
【００２１】
請求項６に記載の発明によれば、ベース部材を開口端部から閉断面内に挿入して、閉断面内にリベットで固定（仮止め）した後、アルミニウム製またはアルミニウム合金製の閉断面構造体と、この閉断面構造体内のアルミニウム製またはアルミニウム合金製のベース部材と、を閉断面構造体の外側から片側溶接する。このようにすることによって、アルミニウム製またはアルミニウム合金製の閉断面構造体と、この閉断面構造体内のアルミニウム製またはアルミニウム合金製のベース部材と、を容易に溶接して、両者を互いに固定することができる。この場合は、ベース部材に、鉄製（鋼製）の被締結部等を有する部品を取り付けることによって、閉断面構造体の外側の鉄製の締結具を閉断面構造体に内設した被締結部に固定することが可能である。
【手続補正４】
【補正対象書類名】明細書
【補正対象項目名】００２７
【補正方法】変更
【補正の内容】
【００２７】
図１（ｂ）に示すように、サイドシル１１の壁面１ｂには、ボルト２、シートベルトアンカ３、およびリベット７，７が設置されている。サイドシル１１の閉断面１ａ内には、ベース部材４と、ブラケット５と、ナット６とが設置されている（図２および図３参照）。
【手続補正５】
【補正対象書類名】明細書
【補正対象項目名】００３３
【補正方法】変更
【補正の内容】
【００３３】
図２に示すように、ベース部材４は、サイドシル１１に対して、リベット７，７と、溶接部Ａ，Ｂをミグ溶接あるいはミグスポット溶接等で溶接することによって固定されている。ベース部材４をサイドシル１１に固定する溶接部Ａは、例えば、開口１ｃの前側の縁部の一箇所に交差して前後方向に向けて溶着するように設けられている。溶接部Ｂは、開口１ｃにおいて、溶接部Ａに点対称な位置である開口１ｃの後側の縁部に交差して前後方向に向けて設けられている。
【手続補正６】
【補正対象書類名】明細書
【補正対象項目名】００３４
【補正方法】変更
【補正の内容】
【００３４】
図３に示すように、ボルト挿通孔４ａは、ボルト２を挿通するための孔であり、ベース部材４の中央部に、ボルト挿通孔３ａに合致するように設けられている。
リベット挿通孔４ｂ，４ｂは、一対のリベット７がそれぞれ挿通される孔であり、リベット挿通孔１ｅ，１ｅに合致するように設けられている。
位置決め凸部４ｃ，４ｃは、ブラケット５の位置決め部５ｄ，５ｄに係合することによって、ブラケット５をベース部材４の所定位置に設置するための部位である。位置決め凸部４ｃ，４ｃは、ボルト挿通孔４ａとリベット挿通孔４ｂとの間に、前記位置決め部５ｄ，５ｄに合致するように設けられている。この位置決め凸部４ｃ，４ｃは、例えば、この位置決め凸部４ｃ，４ｃがあるベース部材４の反対側にポンチ等を打つことによって、ブラケット側に膨らんだ形状に形成されている。なお、この位置決め凸部４ｃ，４ｃは、ベース部材４に固定または着脱自在な棒状の部材やピン等であっても構わない。
【手続補正７】
【補正対象書類名】明細書
【補正対象項目名】００４０
【補正方法】変更
【補正の内容】
【００４０】
≪リベットの構成≫
図４（ａ）、（ｂ）に示すように、リベット７は、ベース部材４をサイドシル１１の閉断面１ａ内に固定するための締結部材である。リベット７は、リベット本体であるスリーブ７ａをサイドシル１１の表面側から取り付けることが可能な周知の片側工法に使用されるリベットからなる。リベット７は、スリーブ７ａと、このスリープ７ａ内に進退自在に挿入されたピン７ｂと、から主に構成されている。
スリーブ７ａは、リベット挿通孔１ｅ，４ｅに挿通される筒状の部材からなり、表面側の端部に形成されてサイドシル１１の壁面１ｂに当接するフランジ部７ｅと、閉断面側の内端に形成されてピン７ｂの頭部７ｃに押されて座屈変形する座屈部７ｄと、を有している。
ピン７ｂは、閉断面側の先端に頭部７ｃを有する棒状の部材によって形成されている。リベット７のスリーブ７ａおよびピン７ｂは、例えば、アルミ製の材料によって形成されている。
前記リベット７は、サイドシル１１の表面側からリベット挿通孔１ｅおよびベース部材４をリベット挿通孔４ｂに挿入した後、ピストル状のリベッター（図示せず）によってピン７ｂを表面側へ引っ張ることで、このピン７ｂの先端に形成した頭部７ｃがスリーブ７ａに食い込んでスリーブ７ａの端部に形成された座屈部７ｄを外側に拡開させてかしめ固定することが可能になっている。また、ピン７ｂの余分な箇所（２点鎖線で示す箇所）は、最終的に破段する。
【手続補正８】
【補正対象書類名】明細書
【補正対象項目名】００４７
【補正方法】変更
【補正の内容】
【００４７】
このようにして一体になったナット６とブラケット５とベース部材４を治具（図示せず）で保持して、図１（ａ）に示すサイドシル１１の開口端部１ｄから閉断面１ａ内に挿入して所定位置に位置決めする。次に、図４（ａ）に示すように、リベット７をサイドシル１１の表面側からリベット挿通孔１ｅ，４ｅに挿通して、フランジ部７ｅがサイドシル１１の表面に当接する位置まで押し込む。図４（ｂ）に示すように、そのポップリベット７のピン７ｂをサイドシル１１の表面側から引っ張ると、頭部７ｃが先端の座屈部７ｄを座屈変形して、サイドシル１１とベース部材４とを仮固定する。
このようにリベット７を使用して閉断面１ａ内のベース部材４をサイドシル１１に固定することにより、サイドシル１１の外側でリベットの取り付け作業ができるようになり、作業性がよい。
【手続補正９】
【補正対象書類名】明細書
【補正対象項目名】００４８
【補正方法】変更
【補正の内容】
【００４８】
その状態で、図２に示すように、サイドシル１１とベース部材４とを、溶接部Ａ，Ｂを溶接することによって固定する。サイドシル１１と、閉断面１ａ内のベース部材４とを溶接する際には、リベット７によってベース部材４が閉断面１ａの内壁に固定されているので、ベース部材４を支えることが不要なため、閉断面構造体１内に溶接トーチを挿入せずに、サイドシル１１の外側で溶接作業ができる。溶接する際には、サイドシル１１の外側に邪魔になる部材がなく、溶接トーチを自由に動かすことが可能となるので、溶接作業を容易に行うことができ、作業性がよい。
次に、図４（ａ）、（ｂ）に示すように、ボルト２のねじ部２ａを、ボルト挿通孔３ａ，４ａ，５ａを介してねじ孔６ａに螺合することによって、シートベルトアンカ３をベース部材４に固定する。
【手続補正１０】
【補正対象書類名】明細書
【補正対象項目名】００４９
【補正方法】変更
【補正の内容】
【００４９】
このようにすることによって、閉断面１ａを有するアルミ製の筒状のサイドシル１１（閉断面構造体１）の壁面１ｂに、開口１ｃより大きなベース部材４を内設して、閉断面１ａ内にそのベース部材４をリベット７で固定（仮止め）した後、さらに、閉断面構造体１の外側からベース部材４を壁面１ｂに片側溶接して本固定することで、シートベルトアンカ３をしっかりと車体に固定できる。
【手続補正１１】
【補正対象書類名】明細書
【補正対象項目名】００５９
【補正方法】変更
【補正の内容】
【００５９】
１      閉断面構造体
１ａ    閉断面
１ｂ    壁面
１ｃ    開口
１ｄ    開口端部
２      ボルト（締結具）
３      シートベルトアンカ
４      ベース部材
５      ブラケット
６      ナット（被締結部）
６ｂ    被締結用ベース
７      リベット
８      シートベルト
１１    サイドシル
【手続補正１２】
【補正対象書類名】図面
【補正対象項目名】図１
【補正方法】変更
【補正の内容】
【図１】
2009138887.tif 000001
【手続補正１３】
【補正対象書類名】図面
【補正対象項目名】図２
【補正方法】変更
【補正の内容】
【図２】
2009138887.tif 000002
【手続補正１４】
【補正対象書類名】図面
【補正対象項目名】図３
【補正方法】変更
【補正の内容】
【図３】
2009138887.tif 000003
【手続補正１５】
【補正対象書類名】図面
【補正対象項目名】図４
【補正方法】変更
【補正の内容】
【図４】
2009138887.tif 000004